(57)【要約】【課題】移動元の基地局装置に停電や故障による停止が生じても、ハンドオーバ手続を行うことができること。【解決手段】移動端末装置が第１の基地局装置と通信を行う過程と、第１の基地局装置において障害が発生した場合には、前記移動端末装置が前記障害を検知する過程と、前記移動端末装置がハンドオーバ手続を開始する過程と、前記移動端末装置が第２の基地局装置との接続を行う過程と、を具備する。【選択図】図２２
2013021598.tif 000002
【特許請求の範囲】
【請求項１】
移動端末装置が第１の基地局装置と通信を行う過程と、
第１の基地局装置において障害が発生した場合には、前記移動端末装置が前記障害を検知する過程と、
前記移動端末装置がハンドオーバ手続を開始する過程と、
前記移動端末装置が第２の基地局装置との接続を行う過程と、
を具備することを特徴とする通信方法。
【請求項２】
第１の基地局装置が狭小なセルを有するホーム基地局装置であることを特徴とする請求項１に記載の通信方法。
【請求項３】
第１の基地局装置および第２の基地局装置が広範囲のセルを有する基地局装置であることを特徴とする請求項１に記載の通信方法。
【請求項４】
第３の基地局装置を備え、第１および第２の基地局装置が小型の省電力基地局装置であり、第３の基地局装置が広いエリアをカバーする基地局装置であることを特徴とする請求項１に記載の通信方法。
【請求項５】
移動端末装置が第１の基地局装置と通信を行う過程と、
前記移動端末装置がハンドオーバの場合に移動先となる第２の基地局装置の情報を格納する過程と、
第１の基地局装置において障害が発生した場合には、前記移動端末装置が前記障害を検知する過程と、
前記移動端末装置が第２の基地局に通信を継続する接続再構築要求を送信する過程を含むハンドオーバ手続が開始する過程と、
前記移動端末装置が第２の基地局装置との接続を行う過程と、
を具備することを特徴とする通信方法。
【請求項６】
移動先となる第２の基地局装置の情報が第２の基地局装置から前記移動端末装置へと送信される過程を具備することを特徴とする請求項５に記載の通信方法。
【請求項７】
移動先となる第２の基地局装置を前記移動局装置が決定する過程を具備することを特徴とする請求項５に記載の通信方法。
【請求項８】
移動端末装置が第１の基地局装置と通信を行う過程と、
第１の基地局装置がアライブ信号を移動先となる第２の基地局装置へ送信する過程と、
第１の基地局装置において障害が発生した場合には、第２の基地局装置が前記障害を検知する過程と、
第２の基地局装置が前記移動局装置に通信を継続する接続再構築要求を送信する過程を含むハンドオーバ手続が開始する過程と、
前記移動端末装置が第２の基地局装置との接続を行う過程と、
を具備することを特徴とする通信方法。
【請求項９】
前記アライブ信号は同期信号であることを特徴とする請求項８に記載の通信方法。
【請求項１０】
前記アライブ信号の代わりにデッス信号が用いられることを特徴とする請求項８に記載の通信方法。
【請求項１１】
通信を継続する接続再構築要求を接続先基地局装置に行う部を備えることを特徴とする移動端末装置。
【請求項１２】
アライブ信号の送信をハンドオーバに先立って他の基地局装置に対して行う部を備えることを特徴とする基地局装置。
【請求項１３】
接続再構築先リストと、
通信を継続する接続再構築要求部と、
を具備することを特徴とする移動端末装置。
【請求項１４】
接続元の基地局装置に関する基地局装置停止検知部と、
ハンドオーバのパススイッチ要求信号生成部と、
を具備することを特徴とする基地局装置。
【発明の詳細な説明】
【技術分野】
【０００１】
本発明は、通信方法、移動端末装置および基地局装置に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System、発展型パケット・システム）の仕様化作業を進めており、ＥＰＳの構成装置として、家庭やオフィスに設置する小型基地局装置であるホーム基地局装置について検討がなされている。
ホーム基地局装置は、フェムトセルと呼ばれる小規模の無線セルを構築し、通常の基地局装置と同じ無線アクセス技術を用いて、移動端末装置を収容する。そして、ブロードバンド回線を経由して移動通信システムのコアネットワークに接続し、収容している移動端末装置の通信データを中継することができる。通常の基地局装置のセルの半径は、数百メートルから数キロメートルであるが、フェムトセルの半径は、数十メートルである。
【０００３】
非特許文献１において、通信時において、移動端末装置の移動が発生し、通信中の基地局装置との接続状態を維持できない場合に、移動端末装置が適切な基地局装置への切り替えを行い、接続状態を維持し、通信を継続するためのハンドオーバ処理が記載されている。
ハンドオーバ処理時において、通信中であり、切り替え元（移動元）となる基地局装置のことをソース基地局装置と言う。また、ハンドオーバ処理時における切り替え先（移動先）となる基地局装置のことをターゲット基地局装置と言う。
【０００４】
データ通信を開始した際に、移動端末装置は、ソース基地局装置から送信された参照信号を受信し、また、その近隣の他の基地局装置から送信された参照信号を受信する。そして、移動端末装置は、受信した参照信号の受信電力を測定してメジャメントレポートを作成し、このメジャメントレポートをソース基地局装置へと送信する。ソース基地局装置は、このメジャメントレポートに基づいて、ハンドオーバ手続を開始するかどうかを決定する。
ハンドオーバ手続を決定したソース基地局装置は、ハンドオーバ要求を移動端末装置およびターゲット基地局装置の双方へ送信する。このように、ソース基地局装置がハンドオーバのトリガー（切っかけ）を行うことにより、移動端末装置とターゲット基地局装置との間において、ハンドオーバ手続を開始することができる。
【０００５】
このハンドオーバ手続は、ソース基地局装置あるいはターゲット基地局装置またはその双方がホーム基地局装置である場合も、同様である。
【０００６】
さらに、非特許文献２では、基地局装置と移動端末装置との間において、ハンドオーバ手続を行うことができず、無線リンクの切断が発生した場合において、再度、基地局装置と移動端末装置との間において無線リンクを確立するための再接続処理について記載されている。
【先行技術文献】
【非特許文献】
【０００７】
【非特許文献１】3GPP TS23.401 ver.10.2.1 3rd Generation Partnership Project; Technical Specification Group Services and System Aspects; General Packet Radio Service (GPRS) enhancements for Evolved Universal Terrestrial Radio Access Network (E-UTRAN) access (Release 10)
【非特許文献２】3GPP TS36.331 ver.10.0.0.0 3rd Generation Partnership Project; Technical Specification Group Radio Access Network; Evolved Universal Terrestrial Radio Access (E-UTRAN); Radio Resource Control (RRC); Protocol specification (Release 10)
【発明の概要】
【発明が解決しようとする課題】
【０００８】
上述したように、従来は、ハンドオーバ手続を開始する際、移動端末装置と通信中であり移動元となるソース基地局装置がハンドオーバ手続の開始を決定し、ソース基地局装置は、ハンドオーバ手続のトリガーを、移動先となるターゲット基地局装置へ送信するとともに移動端末装置へも送信していた。
しかし、ソース基地局装置がホーム基地局装置である場合には、ホーム基地局装置は家庭やオフィスに設置される小型の基地局装置であるため、通常の基地局装置と比較すると、停電や故障などが頻繁に発生することになる。したがって、ホーム基地局装置において停電や故障により停止した場合には、ハンドオーバ手続を行うことができず、通信を継続できなくなる欠点があることが判明した。
また、この停電や故障による停止は通常の基地局装置においても発生し得るものであり、この場合にも、無線リンクの切断が発生して、ハンドオーバ手続を行うことができず、通信を継続できなくなる欠点があることが判明した。
したがって、本発明の実施形態は、上述の従来の欠点を解決することを課題とする。
【課題を解決するための手段】
【０００９】
（１）本発明は上述した課題を解決するためになされたもので、本発明の通信方法は、移動端末装置が第１の基地局装置と通信を行う過程と、第１の基地局装置において障害が発生した場合には、前記移動端末装置が前記障害を検知する過程と、前記移動端末装置がハンドオーバ手続を開始する過程と、前記移動端末装置が第２の基地局装置との接続を行う過程と、を具備することを特徴とする。
（２）また、本発明の通信方法は、上述の通信方法であって、第１の基地局装置が狭小なセルを有するホーム基地局装置であることを特徴とする。
（３）また、本発明の通信方法は、上述の通信方法であって、第１の基地局装置および第２の基地局装置が広範囲のセルを有する基地局装置であることを特徴とする。
（４）また、本発明の通信方法は、上述の通信方法であって、第３の基地局装置を備え、第１および第２の基地局装置が小型の省電力基地局装置であり、第３の基地局装置が広いエリアをカバーする基地局装置であることを特徴とする。
（５）本発明は上述した課題を解決するためになされたもので、本発明の通信方法は、移動端末装置が第１の基地局装置と通信を行う過程と、前記移動端末装置がハンドオーバの場合に移動先となる第２の基地局装置の情報を格納する過程と、第１の基地局装置において障害が発生した場合には、前記移動端末装置が前記障害を検知する過程と、前記移動端末装置が第２の基地局にＲＲＣ接続再構築要求を送信する過程を含むハンドオーバ手続が開始する過程と、前記移動端末装置が第２の基地局装置との接続を行う過程と、を具備することを特徴とする。
（６）また、本発明の通信方法は、上述の通信方法であって、移動先となる第２の基地局装置の情報が第２の基地局装置から前記移動端末装置へと送信される過程を具備することを特徴とする。
（７）また、本発明の通信方法は、上述の通信方法であって、移動先となる第２の基地局装置を前記移動局装置が決定する過程を具備することを特徴とする。
（８）本発明は上述した課題を解決するためになされたもので、本発明の通信方法は、移動端末装置が第１の基地局装置と通信を行う過程と、第１の基地局装置がアライブ信号を移動先となる第２の基地局装置へ送信する過程と、第１の基地局装置において障害が発生した場合には、第２の基地局装置が前記障害を検知する過程と、第２の基地局装置が前記移動局装置に通信を継続する接続再構築要求を送信する過程を含むハンドオーバ手続が開始する過程と、前記移動端末装置が第２の基地局装置との接続を行う過程と、を具備することを特徴とする。
（９）また、本発明の通信方法は、上述の通信方法であって、前記アライブ信号は同期信号であることを特徴とする。
（１０）また、本発明の通信方法は、上述の通信方法であって、前記アライブ信号の代わりにデッス信号が用いられることを特徴とする。
（１１）本発明は上述した課題を解決するためになされたもので、本発明の移動端末装置は、通信を継続する接続再構築要求を接続先基地局装置に行う部を有することを特徴とする。
（１２）本発明は上述した課題を解決するためになされたもので、本発明の基地局装置は、  アライブ信号の送信をハンドオーバに先立って他の基地局装置に対して行う部を有することを特徴とする。
（１３）本発明は上述した課題を解決するためになされたもので、本発明の移動端末装置は、接続再構築先リストと、通信を継続する接続再構築要求部と、を具備することを特徴とする。
（１４）本発明は上述した課題を解決するためになされたもので、本発明の移動端末装置は、接続元の基地局装置に関する基地局装置停止検知部と、ハンドオーバのパススイッチ要求信号生成部と、を具備することを特徴とする。
【発明の効果】
【００１０】
本発明の実施形態は、基地局装置またはホーム基地局装置の故障の場合であっても、ハンドオーバ手続を開始することができ、通信を継続することができるという顕著な効果を奏する。
【図面の簡単な説明】
【００１１】
【図１】本発明の実施形態である移動通信システムに含まれる無線アクセスシステムを示す概略図である。
【図２】無線アクセスシステムの変形例を示す概略図である。
【図３】本発明の実施形態である移動通信システムを示す概略図である。
【図４】本発明の実施形態に係る基地局装置の構成を説明する概略図である。
【図５】ＥＰＳベアラコンテキストの一例を示す図である。
【図６】本発明の実施形態に係るホーム基地局装置の構成を説明する概略図である。
【図７】ｅＮＢ検出部の構成を説明する概略図である。
【図８】ＩＰアドレスプールの一例を示す図である。
【図９】ＥＰＳベアラコンテキストの一例を示す図である。
【図１０】本発明の実施形態に係る移動端末装置の構成を説明する概略ブロック図である。
【図１１】ｅＮＢリストの一例を示す図である。
【図１２】ＡＰＮリストの一例を示す図である。
【図１３】ＰＧＷの構成を示す概略ブロック図である。
【図１４】バインディング情報の一例を示す図である。
【図１５】ＳＧＷの構成を説明する概略ブロック図である。
【図１６】ＥＰＳベアラコンテキストの一例を示す図である。
【図１７】ＭＭＥの構成を示す概略ブロック図である。
【図１８】サブスクリップションＤＢの一例を示す図である。
【図１９】ＡＰＮ‐ＩＰアドレス変換ＤＢの一例を示す図である。
【図２０】ＥＰＳベアラコンテキストの一例を示す図である。
【図２１】ＧＷの構成を示す概略ブロック図である。図である。
【図２２】本発明の第１の実施形態に係るＲＲＣ再接続手続を行うシーケンス図を示す。
【図２３】本発明の第２の実施形態に係るＲＲＣ再接続手続を行うシーケンス図を示す。
【図２４】本発明の第３の実施形態に係るＲＲＣ再接続手続を行うシーケンス図を示す。
【図２５】ＵＥリストの一例を示す図である。
【図２６】アライブ信号のフォーマットの一例を示す図である。
【発明を実施するための形態】
【００１２】
＜実施形態＞
図１は、本発明の実施形態における移動通信システム１に含まれる無線アクセス部分１＿１を示す概略図である。以下では、無線アクセス部分のことを「無線アクセスシステム」と言うことがある。
移動通信システム１の無線アクセス部分１＿１には、基地局装置ｅＮＢ１０とホーム基地局装置ＨｅＮＢ２０と移動端末装置ＵＥ３０とが含まれる。以下では、基地局装置ｅＮＢのことを単に「ｅＮＢ」と言い、ホーム基地局装置ＨｅＮＢのことを単に「ＨｅＮＢ」と言い、移動端末装置ＵＥのことを単に「ＵＥ」と言うことがある。また、移動端末装置ＵＥのことを「端末」、「端末装置」、「移動局」または「移動局装置」と言うことがある。
図１には、図面を見やすくするために、１台のＵＥを示すが、無線アクセス部分１＿１には、通常は、複数台のＵＥが含まれる。
基地局装置ｅＮＢ１０のセルのことを「通話エリア」、「無線セル」、「無線ゾーン」または「無線範囲」と言うことがある。このことはＨｅＮＢのフェムトセルについても同様である。
【００１３】
ＵＥ３０はＨｅＮＢ２０のセル２０‐１に在圏してＨｅＮＢ２０に接続され、両者の間でデータ通信を行っている。ＵＥ３０は、ｅＮＢ１０へ接続することもできるが、ＨｅＮＢ２０のセル２０‐１に在圏しているためＨｅＮＢ２０に接続しており、ｅＮＢ１０には接続していない。なお、ｅＮＢ１０のセルを図１では符号１‐１で示し、図面を見やすくするために無線アクセスシステム１‐１とセル１‐１を同一の符号で示す。このことは図２の変形例においても同様である。
【００１４】
図２は、変形例である無線アクセスシステム１‐２を示す概略図である。
無線アクセスシステム１‐２には、基地局装置ｅＮＢ１０ａと、ホーム基地局装置ＨｅＮＢ２０ａと、ホーム基地局装置ＨｅＮＢ２０ｂと、移動端末装置ＵＥ３０ａとが含まれる。
ｅＮＢ１０ａは、セル１‐２を備える。ＨｅＮＢ２０ａはセル２０ａ‐１を備え、ＨｅＮＢ２０ｂはセル２０ｂ‐２を備える。
【００１５】
ＵＥ３０ａはＨｅＮＢ２０ａに接続され、両者の間でデータ通信を行っている。ＵＥ３０ａは、ＨｅＮＢ２０ｂおよびｅＮＢ１０のいずれにも接続することができる。
ここで、変形例について説明をすると、ｅＮＢ１０、ＨｅＮＢ２０ａおよびＨｅＮＢ２０ｂ間には、ＵＥ３０が接続するための優先順位が存在する。この優先順位が高い順番に、ＵＥ３０は基地局装置と接続を行う。この優先順位を決定する方法としては、例えば、ＨｅＮＢ２０ａからの信号の受信電力が他のＨｅＮＢ２０ｂおよびｅＮＢ１０ａのいずれのものより高いことを理由にして、ＨｅＮＢ２０ａへ接続する。この変形例では、受信電力の大きさは、ＨｅＮＢ２０ａ、ＨｅＮＢ２０ｂ、ｅＮＢ１０ａの順番に大きく、その順番で接続する。
以下の説明では、ホーム基地局装置が１台の場合について代表して説明をおこなう。
【００１６】
図３は、本実施形態における移動通信システム１の全体の構成を示す概略図である。
移動通信システム１には、前述の無線アクセスシステム２０‐１の他に、コアネットワーク８０が含まれている。以下では、無線アクセスシステム２０‐１のことを「ホームネットワーク２０‐１」と言うことがある。
コアネットワーク８０とホームネットワーク２０‐１とは、ブロードバンドアクセスネットワーク９０を介して相互接続される。ブロードバンドアクセスネットワーク９０は、一例として広帯域の通信を実現する有線アクセスネットワークであり、例えばＡＤＳＬや光ファイバー等によって構築する。ただし、これに限らずＷｉＭＡＸなどの無線アクセスネットワークを用い構築することができる。
【００１７】
コアネットワーク８０は、パケットデータゲートウェイＰＧＷ（Packet data Gateway）４０と、サービングゲートウェイＳＧＷ（Serving Gateway）５０と、移動管理装置ＭＭＥ（Mobility Management Entity）６０と、ゲートウェイＧＷ（Gateway）７０とが含まれる。以下では、パケットデータゲートウェイＰＧＷのことを単にＰＧＷと言い、サービングゲートウェイＳＧＷのことを単にＳＧＷと言い、移動管理装置ＭＭＥのことを単にＭＭＥと言い、ゲートウェイＧＷのことを単にＧＷと言うことがある。
【００１８】
ＰＧＷ４０は、アクセス制御装置であって、インターネットなどのパケットデータネットワークＰＤＮ（Packet Data Network）９５と接続され、コアネットワーク８０とＰＤＮ９５とを接続するゲートウェイとして機能するとともに、ＵＥ３０への通信データをＳＧＷ５０に転送する。
ＳＧＷ５０は、ＧＷ７０と接続され、ＰＧＷ４０とホーム基地局装置２０との間でのパケット転送を行うービス制御装置である。なお、ＰＧＷ４０とＳＧＷ５０とは、物理的に同一のノードで構成されることができる。
ＭＭＥ６０は、シグナリングを行う装置であり、また、ＵＥ３０の位置管理およびＥＰＳベアラの確立手続を主導する位置管理装置でもある。ＥＰＳベアラとは、移動端末装置ＵＥ毎にＨｅＮＢ２０とＳＧＷ５０との間で確立されるユーザＩＰパケットを転送する論理パスのことである。なお、ＵＥ３０は、複数のＥＰＳベアラを確立することができる。
ＧＷ７０は、ホームネットワーク２０＿１内に設置されているＨｅＮＢ２０とコアネットワーク８０内の装置との間での、ゲートウェイとして機能する。
【００１９】
ホームネットワーク２０‐１には、ホーム基地局装置ＨｅＮＢ２０と、移動端末装置ＵＥ３０とが含まれる。また、ホームネットワーク２０‐１は、ブロードバンドアクセスネットワーク９０を経由してＰＤＮ９５と相互接続される。
ホーム基地局装置ＨｅＮＢ２０は、フェムトセル２０‐１を形成し、３ＧＰＰ  ＬＴＥ（Long Term Evolution、長期的高度化システム）の基地局としてＵＥ３０を収容することができる。さらにホームネットワークにおけるホームゲートウェイとしても機能し、ブロードバンドアクセスネットワーク９０に接続されている。
【００２０】
移動端末装置ＵＥ３０は、３ＧＰＰ ＬＴＥの通信インタフェースを搭載する通信装置であり、ＨｅＮＢ２０に接続されている。
また、前述したように、ＵＥ３０は、優先順位に従い、基地局装置ｅＮＢ１０に無線接続することができる。
【００２１】
次に、本発明の実施形態の無線通信システム１に含まれる構成要素であるｅＮＢ、ＨｅＮＢ、ＵＥ、ＰＧＷ、ＳＧＷ、ＭＭＥおよびＧＷの構成の概略を説明する。最後に、本発明の第１の実施形態ないし第３の実施形態の動作のシーケンスを示すシーケンス図について説明を行う。ただし、ｅＮＢ、ＨｅＮＢ、ＵＥ、ＰＧＷ、ＳＧＷ、ＭＭＥおよびＧＷの構成については、第１の実施形態ないし第３の実施形態のいずれかに特有の構成も含まれているので、その点を適宜説明する。なお、第１の実施形態ないし第３の実施形態のいずれか一つを実施する際には、他の実施形態に特有の構成を使用しないことができる。
【００２２】
図４は、基地局装置ｅＮＢ１０の構成を説明する概略ブロック図である。
ｅＮＢ１０は、制御部１００と、送受信部１１０と、ＬＴＥ無線通信部１２０と、記憶部１３０と、ソースＨｅＮＢ停止検知部１４０と、パススイッチ要求信号生成部１５０と、バス１６０と、アンテナ１２５とを備える。制御部１００、送受信部１１０、ＬＴＥ無線通信部１２０、記憶部１３０、ソースＨｅＮＢ停止検知部１４０およびパススイッチ要求信号生成部１５０は、バス１６０を介して相互に接続されている。
【００２３】
記憶部１３０は、ＥＰＳベアラコンテキストを記憶する記憶領域を有し、この記憶領域をＥＰＳベアラコンテキスト１３４と命名する。以下、このような記憶領域の命名法を用いて説明を行う。
制御部１００は、記憶部１３０に記憶されている各種プログラムを読み出して実行することにより、ｅＮＢ１０における種々の処理を実現する。この処理の実行は、制御部１００に内蔵するＣＰＵ（図示せず）等の装置を用いて実行される。
【００２４】
送受信部１１０は、ＳＧＷ５０から受信したＵＥ３０宛ての下りリンクデータを受信することに用いられる。また、ＬＴＥ無線通信部１２０を介してＵＥ３０からの上りリンクデータを受信し、ＳＧＷ５０に転送する。
ＬＴＥ無線通信部１２０は、ＵＥ３０と無線通信を行い、ＵＥ３０を収容するための装置である。また、ＬＴＥ無線通信部１２０には、外部アンテナ１２５が接続されている。
以上は、ＵＥ３０がｅＮＢ１０のセル１０‐１に在圏してデータの交信を行っている場合の説明である。
【００２５】
記憶部１３０は、ｅＮＢ２０の各種動作に必要なプログラム、データ等を記憶する装置である。さらに、記憶部１３０は、ＥＰＳベアラコンテキスト１３４を有する。
【００２６】
図５は、ＥＰＳベアラコンテキスト１３４の一例を示した図である。
ＥＰＳベアラコンテキスト１３４は、ＵＥ識別子（例えば「ＵＥ１」）と、ＡＰＮ（例えば「インターネット接続」）と、ＳＧＷアドレス（例えば、「２００１：１：：２」）と、Ｓ１−ＴＥＩＤ（例えば、ＴＥＩＤ１）と、ＥＰＳベアラＩＤ（例えば、「ＥＰＳベアラ１」）とを対応付けて記憶し、ＵＥ毎に設定されるＥＰＳベアラのコンテキストを管理する。
【００２７】
図４へ戻って、ソースＨｅＮＢ停止検知部１４０は、ホーム基地局装置ＨｅＮＢ２０が停止したことを検知する。
【００２８】
第１の実施形態および第２の実施形態においては、ソースＨｅＮＢ停止検知部１４０は、ソースホーム基地局装置２０からブロードバンドアクセスネットワーク９０、ＧＷ７０およびＳＧＷ５０を介して送受信部１１０がＲＲＣ接続再構築の信号を受信することに基づいて、ホーム基地局装置ＨｅＮＢ２０の停止を検知する。この点は後で詳述する。 
【００２９】
第３の実施形態においては、ソースＨｅＮＢ２０が同期信号（この同期信号を「アライブ信号（alive signal）」と言うことがある。）をブロードバンドアクセスネットワーク９０、ＧＷ７０およびＳＧＷ５０を介してターゲットｅＮＢ１０へ送信し、ソースＨｅＮＢ停止検知部１４０は、送受信部１１０を介してこの同期信号を受信しているが、ソースＨｅＮＢ停止検知部１４０は、この同期信号を一定時間受信できなくなった場合を契機として、ＨｅＮＢ２０が停止していることを検知する。この点は後で詳述する。
【００３０】
パススイッチ要求信号生成部１５０は、ソースＨｅＮＢの停止検知部１４０においてＨｅＮＢ２０の停止を検知した結果、ＨｅＮＢ２０からｅＮＢ１０へＳＧＷ５０のパスを切り替えるためのパススイッチ要求の信号を生成する。
また、ソースＨｅＮＢの停止検知部１４０は、ＨｅＮＢ２０ａの停止を検知した結果、図２の場合の優先順位に従って、ＨｅＮＢ２０ａからＨｅＮＢ２０ｂへＳＧＷ５０のパスを切り替えるためのパススイッチ要求の信号を生成してもよい。
【００３１】
図６は、ホーム基地局装置ＨｅＮＢ２０の構成を説明する概略ブロック図である。
ＨｅＮＢ２０は、制御部２００と、Ｌ−ＰＧＷ部２１０と、ＬＴＥ基地局部２２０と、記憶部２３０と、ホームネットワークインタフェース部２４０と、ブロードバンドアクセスネットワーク用インタフェース部２５０と、バス２６０と、アンテナ２２５とを備える。制御部２００、Ｌ−ＰＧＷ部２１０、ＬＴＥ基地局部２２０、記憶部２３０、ホームネットワークインタフェース部２４０およびブロードバンドアクセスネットワーク用インタフェース部２５０は、バス２６０を介して相互に接続される。
記憶部２３０は、ＩＰアドレスプール２３２、ＥＰＳベアラコンテキスト２３４およびセルＩＤ２３５を備える。ＬＴＥ基地局部２２０は、ｅＮＢ検出部２２２および同期信号生成部２２４を備える。
制御部２００は、記憶部２３０に記憶されている各種プログラムを読み出して実行することによりホーム基地局装置ＨｅＮＢ２０における種々の処理を実現する。
【００３２】
Ｌ−ＰＧＷ部２１０は、前述のＰＧＷ４０（図３）のサブセット（機能縮小版）として構成され、ＵＥ３０との間でローカルＰＤＮコネクションを確立し、ＵＥ３０宛ての通信データを、ＬＴＥ基地局部２２０を介してＵＥ３０に転送するパケットゲートウェイ装置として機能する。
また、Ｌ−ＰＧＷ部２１０は、ＵＥ３０へのＨｏＡの割り当てを行う。ＨｏＡ（Home Address、ホーム・アドレス）とは、移動端末装置ＵＥに割り当てられるＩＰアドレスを示す。ＨｏＡの割り当てを行うことにより、通信相手が宛先を指定する際に用いて、ＵＥ３０の場所を示すことができる。
なお、本実施形態においては、Ｌ−ＰＧＷ部２１０は、ＨｅＮＢ２０に内蔵される機能部の一つとして説明した。しかし、パケットゲートウェイ装置として、ＨｅＮＢ２０とは別のハードウェアとしてもよい。すなわち、ＨｅＮＢ２０とブロードバンドアクセスネットワーク９０の間に設けてもよい。
【００３３】
また、前述のＰＤＮコネクションとは、ＰＧＷ４０（図３）とＵＥ３０との間で確立される論理パスであり、１つのＰＤＮコネクション内に複数のＥＰＳベアラを確立することができる。また、ローカルＰＤＮコネクションとは、ローカルＩＰアクセスを利用するためにＰＧＷ４０のサブセットであるところのＬ−ＰＧＷ部２１０とＵＥ３０との間で同様に確立されるＰＤＮコネクションである。
【００３４】
ＬＴＥ基地局部２２０は、携帯電話システムＬＴＥの基地局として機能し、ＵＥ３０と送受信を行う。また、ＬＴＥ基地局部２２０には、外部アンテナ２２５が接続されている。
【００３５】
第１の実施形態においては、ＬＴＥ基地局部２２０のｅＮＢ検出部２２２は、ＨｅＮＢ２０において停止またはそれに類似する事象が発生した場合にＵＥ３０が再接続する相手方であるｅＮＢ１０を、ＵＥ３０へ前もって通知する。
【００３６】
また、ＬＴＥ基地局部２２０の同期信号生成部２２４は、ホーム基地局装置ＨｅＮＢ２０と移動端末装置ＵＥ３０の通信中にやりとりする同期信号を生成して、アンテナ２２５を介してＵＥ３０へ送信する。
第１の実施形態および第２の実施形態においては、ＵＥ３０は、ＨｅＮＢ２０からこの同期信号を受信できなくなった場合に、ＨｅＮＢ２０が停止したと判断する。
【００３７】
図７は、第１の実施形態において用いられるｅＮＢ検出部２２２の構成を説明する概略ブロック図である。
ｅＮＢ検出部２２２は、参照信号受信部２２２ａと、受信電力測定部２２２ｂと、セルＩＤ検出部２２２ｃと、ｅＮＢリスト生成部２２２ｄとを備える。
参照信号受信部２２２ａは、基地局装置ｅＮＢ１０から送信された参照信号を受信する。続いて、参照信号受信部２２２ａで受信された参照信号は、受信電力測定部２２２ｂおよびセルＩＤ（Ｃｅｌｌ ＩＤ）検出部２２２ｃに入力される。受信電力測定部２２２ｂでは、参照信号の受信電力を計測する。受信電力測定部２２２ｂにおいて測定された受信電力は、ｅＮＢリスト生成部２２２ｄへ入力される。
一方、セルＩＤ検出部２２２ｃでは、参照信号に含まれているセルＩＤを抽出する。抽出されたセルＩＤは、ｅＮＢリスト生成部２２２ｄへ入力される。
【００３８】
ｅＮＢリスト生成部２２２ｄでは、入力された受信電力およびセルＩＤを利用して、両者を関連付ける。ここで、複数の参照信号を受信し、複数のセルＩＤおよび受信電力の組み合わせが存在する場合には、受信電力の大きい順番にセルＩＤおよび受信電力の組み合わせを、セルＩＤ２３５に格納する。順番は、これに限るものでなく、受信電力の小さい順に並べて格納してもよい。
【００３９】
図６に戻って、記憶部２３０は、ＨｅＮＢ２０の各種動作に必要なプログラム、データ等を記憶する記憶領域を備える。
以下に、記憶部２３０の備えるＩＰアドレスプール２３２、ＥＰＳベアラコンテキスト２３４およびセルＩＤ２３５について詳述する。
【００４０】
図８は、ＩＰアドレスプール２３２の一例を示した図である。
ＩＰアドレスプール２３２は、通信事業者からホームネットワーク５上に割り当てられているＩＰアドレスプレフィックス（例えば、「２００１：１００：２００：３００：：／６４」）を記憶する。ＨｅＮＢ２０は、通信事業者から送信されるルータ広告（Router Advertisement）を受信し、ルータ広告に含まれているＩＰアドレスプレフィックスをＩＰアドレスプール２３２内に記憶し、ローカルＩＰアクセスを利用するＵＥ３０に対しては、このＩＰアドレスプレフィックスを用いたＩＰアドレス（例えば、「２００１：１００：２００：３００：：５／６４」）をＨｏＡとして割り当てる。
【００４１】
図９は、ＥＰＳベアラコンテキスト２３４の一例を示す図である。
ＥＰＳベアラコンテキスト２３４は、ＵＥ識別子として例えば「ＵＥ１」と、ＡＰＮ（アクセス・ポイント名）として例えば「インターネット接続」と、ＨｏＡとして例えば、「２００１：１００：２００：３００：：５」と、ＳＧＷアドレスとして例えば、「２００１：１：：２」と、ｅＮＢアドレスとして例えば、「２００１：１００：２００：３００：：２」と、Ｓ１−ＴＥＩＤとして例えば、「ＴＥＩＤ１」と、ＥＰＳベアラＩＤとして例えば、「ＥＰＳベアラ１」）とを対応付けて記憶部２３０のセルＩＤ２３５に記憶し、ＵＥ毎に設定されるＥＰＳベアラのコンテキストを管理する。
【００４２】
図６に戻って、ホームネットワークインタフェース部２４０は、ＬＴＥ基地局部２２０およびアンテナ２２５を介して、ホームネットワーク２０‐１内の他装置とパケット送受信を行う。ホームネットワーク２０‐１内の他装置には、ＵＥ３０の他に、ホームネットワーク内に存在するサーバや他の情報端末装置などがある。
【００４３】
ブロードバンドアクセスネットワーク用インタフェース部２５０は、ブロードバンドアクセスネットワーク９０とパケット送受信を行う。ブロードバンドアクセスネットワーク用インタフェース部２５０は、例えば、ネットワークの接続方式として一般的に利用されるＡＤＳＬなどによりパケット送受信を行う。
【００４４】
その他に、第３の実施形態においては、ブロードバンドアクセスネットワーク用インタフェース部２５０は、同期信号生成部２５５を備える。同期信号生成部２５５は、同期信号（「アライブ信号」とも言う。）を生成して、この同期信号は、ターゲットｅＮＢ１０へ送信される。この点は後述する。
【００４５】
図１０は、移動端末装置ＵＥ３０の構成を説明する概略ブロック図である。
ＵＥ３０は、制御部３００と、ＬＴＥインタフェース部３１０と、記憶部３３０と、ベアラ確立処理部３４０と、バス３６０とを備える。
制御部３００、ＬＴＥインタフェース部３１０、記憶部３３０およびベアラ確立処理部３４０は、バス３６０を介して相互に接続されている。
記憶部３３０は、接続再構築先ｅＮＢリスト３３２およびＡＰＮリスト３３４を備える。
ＬＴＥインタフェース部３１０は、同期検出部３１２およびＲＲＣ接続再構築要求部３１４を備える。ＬＴＥインタフェース部３１０は、アンテナ３１５に接続される。
制御部３００は、記憶部３３０に記憶されている各種プログラムを読み出して実行することにより移動局装置ＵＥ３０における種々の処理を実現する。
ＵＥ３０の具体的な例としては、無線アクセスインタフェースを介して基地局装置１０またはホーム基地局装置２０に接続する移動端末装置の他に、ＰＤＡ（携帯情報端末）、スマートホン等の端末がある。
【００４６】
ＵＥ３０は、ＬＴＥインタフェース部３１０を介して、ホーム基地局装置ＨｅＮＢ２０または基地局装置ｅＮＢ１０に接続する。
第１の実施形態または第２の実施形態においては、ＬＴＥインタフェース部３１０の同期検出部３１２は、ＨｅＮＢ２０から送信される同期信号を受信し、ＨｅＮＢとの通信状態の継続の可否を検出する。そして、ＵＥ３０は、ＨｅＮＢ２０からの同期信号を一定時間検出できなくなった場合には、ＨｅＮＢ２０が停止していると判断する。ここで、一定時間とは、ＨｅＮＢ２０およびＵＥ３０間において、予め決められた時間であってもよいし、ＵＥ３０において独自に決められた時間であってもよい。
第１の実施形態においては、接続先再構築ｅＮＢリスト３３２は、ターゲットｅＮＢ１０からＳＧＷ５０、ＧＷ７０、ブロードバンドアクセスネットワーク９０、ＨｅＮＢ２０を介して送信されたターゲットｅＮＢ１０の情報を、アンテナ３１５、ＬＴＥインタフェース部３１０を経て受信して記憶する。
第２の実施形態においては、ｅＮＢ１０から送信された参照信号をＳＧＷ５０、ＧＷ７０、ブロードバンドアクセスネットワーク９０、ＨｅＮＢ２０を介し、アンテナ３１５、ＬＴＥインタフェース部３１０を経て受信し、制御部３００は、この参照信号に基づいて、ターゲットｅＮＢ１０を決定して、接続再構築先リスト３３２に記憶する。
【００４７】
第１の実施形態および第２の実施形態においては、制御部３００は、ソースＨｅＮＢの停止を検知することに基づいて、ＲＲＣ接続再構築要求部３１４を制御し、その結果、ＲＲＣ接続再構築要求部３１４は、アンテナ１５を介してＲＲＣ接続再構築要求の信号をターゲットｅＮＢ１０へ送信する。
また、第１の実施形態および第２の実施形態においては、制御部３００は、ターゲットｅＮＢ１０からＲＲＣ接続再構築の通知を受信することに基づいてＲＲＣ接続再構築要求部３１４を制御して、ＲＲＣ接続再構築要求部３１４がＲＲＣ接続再構築完了の通知をターゲットｅＮＢ１０へ送信するようにする。
【００４８】
第３の実施形態においては、制御部３００は、ターゲットｅＮＢ１０からＲＲＣ接続再構築の通知を受信することに基づいてＲＲＣ接続再構築要求部３１４を制御して、ＲＲＣ接続再構築要求部３１４がＲＲＣ接続再構築完了の通知をターゲットｅＮＢ１０へ送信するようにする。
【００４９】
記憶部３３０は、ＵＥ３０の各種動作に必要なプログラム、データ等を記憶する機能部である。
【００５０】
図１１は、接続再構築先ｅＮＢリスト３３２に記憶されているｅＮＢのリストの一例である。図１１では、接続構築先として、ｅＮＢ１０が記憶されている。
図１０に戻って、記憶部３３０に記憶されたＡＰＮリスト３３４は、インターネット接続を行う際にＵＥ３０が利用候補とするＡＰＮを記憶する。
【００５１】
図１２は、ＡＰＮリスト３３４のデータ構成の一例である。
図１２に示すように、ＡＰＮリスト３３４には、ＵＥ３０が利用候補とするＡＰＮがリスト管理されている。図１２には、ＡＰＮの一例として、「ＷＥＢ」を示す。
図１０に戻って、ベアラ確立処理部３４０は、コアネットワーク８０内のＳＧＷ５０との通信路であるＥＰＳベアラを確立するための処理を実行する。
【００５２】
図１３は、ＰＧＷ４０（図３）の構成を説明する概略ブロック図である。
ＰＧＷ４０は、制御部４００と、送受信部４１０と、記憶部４３０と、ＰＭＩＰ処理部４４０と、バス４６０とを備える。
制御部４００、送受信部４１０、記憶部４３０およびＰＭＩＰ処理部４４０は、バス４６０を介して相互に接続されている。
記憶部４３０は、バインディング情報４３２を備える。
制御部４００は、記憶部４３０に記憶されている各種プログラムを読み出して実行することにより移動端末装置ＵＥ３０における種々の処理を実現する。
【００５３】
送受信部４１０は、ルータまたはスイッチに有線接続され、ＰＤＮ９５またはＳＧＷ５０とパケットの送受信を行う。例えば、ＰＤＮ９５（図３）への接続方式として一般的に利用されているＥｔｈｅｒｎｅｔ（登録商標）などによりパケットを送受信する。
記憶部４３０は、ＰＧＷ４０の各種動作に必要なプログラム、データ等を記憶する機能部であり、例えば半導体メモリ等により構成されている。また、記憶部４３０は、バインディング情報４３２を備える。
バインディング情報４３２は、ＰＧＷ４０がＵＥ３０宛の、パケットに分割された通信データを受信した際に、当該通信データをＵＥ３０に転送するための伝送路を決定するために用いられる情報である。ここで、バインディング情報の一例を図１４に示す。
【００５４】
図１４に示されているように、バインディング情報４３２は、ＵＥ３０のＩＰアドレスプレフィックス（以下、「ＨＮＰ（Home Network Prefix）」と言う。）と、ＳＧＷ５０への伝送路（例えば、「ＰＭＩＰトンネル１」）と、を関連付けている。
ここで、ＵＥのＩＰアドレスプレフィックスＵＥ１＿ＨＮＰ１と伝送路ＰＭＩＰトンネル１は、或るＵＥ（ＵＥ１）に対するエントリーである。ＵＥのＩＰアドレスプレフィックスＵＥ２＿ＨＮＰ２と伝送路ＰＭＩＰトンネル２とは、ＵＥ２に対するエントリーである。ＵＥのＩＰアドレスプレフィックスＵＥ３＿ＨＮＰ３と伝送路ＰＭＩＰトンネル３とは、ＵＥ３に対するエントリーである。
なお、各移動端末装置ＵＥには、ユニークな（一意的な）ＨＮＰが割り当てられるものとし、ＵＥ用のＩＰｖ６（ＩＰバージョン６）のアドレスを生成するために使用される。ここで、割り当てられるＨＮＰはＩＰｖ６である必要はなく、ＩＰｖ４（ＩＰバージョン４）であってもよい。
【００５５】
図１３に戻って、ＰＭＩＰ処理部４４０は、ＰＧＷ４０とＳＧＷ５０との間で用いられる転送路（ＰＭＩＰトンネルと呼ぶ）を確立する。
【００５６】
図１５は、サービングゲートウェイＳＧＷ５０の構成を説明する概略ブロック図である。
ＳＧＷ５０は、制御部５００と、送受信部５１０と、ベアラ確立処理部５４０と、記憶部５３０と、ＰＭＩＰ処理部５５０と、パススイッチ処理部５６０と、バス５８０とを備える。制御部５００、送受信部５１０、ベアラ確立処理部５４０、記憶部５３０、ＰＭＩＰ処理部５５０およびパススイッチ処理部５６０は、バス５８０を介して相互に接続されている。
記憶部５３０は、ＥＰＳベアラコンテキスト５３２を備える。
制御部５００は、記憶部５３０に記憶されている各種プログラム、データを読み出して実行することにより移動局装置ＳＧＷ５０における種々の処理を実現する。この処理の実行は、制御部５００に内蔵するＣＰＵ（図示せず）等の装置を用いて実行される。
【００５７】
送受信部５１０は、ルータもしくはスイッチに有線接続され、ＰＧＷ４０、ブロードバンドアクセスネットワーク９０（ＧＷ７０）、ＭＭＥ６０およびｅＮＢ１０と、パケットの送受信を行う。例えば、ネットワークの接続方式として一般的に利用されているＥｔｈｅｒｎｅｔ（登録商標）などにより送受信する。送受信部５１０は、例えば、ＭＭＥ６０からのパススイッチの要求を受信することができる。また、送受信部５１０は、ＭＭＥ６０からのパススイッチ要求に対するパススイッチ要求応答をＭＭＥ６０へ送信することができる。
【００５８】
ベアラ確立処理部５４０は、ＥＰＳベアラを確立するための処理を実行する。ベアラ確立処理部５４０では、ＭＭＥ６０からパススイッチ（接続路切り替え）要求を受信した場合に、ターゲット基地局装置ｅＮＢからのパススイッチの要求に含まれるパススイッチ先のターゲット基地局装置ｅＮＢへ、パススイッチを行う。パススイッチとは、具体的には、ソースＨｅＮＢとＳＧＷ間のベアラを解放し、ターゲットｅＮＢとＳＧＷ間のベアラを確立することである。
【００５９】
図１６は、ＥＰＳベアラコンテキスト５３２の一例を示した図である。
ＥＰＳベアラコンテキスト５３２は、ＵＥ識別子（例えば「ＵＥ１」）と、ＡＰＮ（例えば「インターネット接続」）と、ＰＧＷアドレス（例えば、「２００１：１００：２００：３００：：２」）と、ｅＮＢアドレス（例えば、「２００１：１００：２００：３００：：２」）と、Ｓ１−ＴＥＩＤ（例えば、ＴＥＩＤ１）と、ＥＰＳベアラＩＤ（例えば、「ＥＰＳベアラ１」）とを対応付けて記憶し、ＵＥ毎に設定されるＥＰＳベアラのコンテキストを管理する。
【００６０】
図１５に戻って、ＰＭＩＰ処理部５５０は、ＰＭＩＰトンネルをＰＧＷ４０（図３）との間で確立する。
【００６１】
第１の実施形態ないし第３の実施形態において、ＭＭＥ６０は、パススイッチの要求をＳＧＷ５０に対して送信し、ＳＧＷ５０のパススイッチ処理部５６０は、送受信部５１０で受信したパススイッチ要求に対して、パススイッチ要求に含まれるターゲットｅＮＢへデータ送信先を変更するようパススイッチ処理を行う。そして、送受信部５１０は、パススイッチの要求応答をＭＭＥ６０へ送信する。
【００６２】
図１７は、移動管理装ＭＭＥ６０の構成を説明する概略ブロック図である。
ＭＭＥ６０は、制御部６００と、送受信部６１０と、記憶部６３０と、バス６６０とを備える。記憶部６３０は、サブスクリップションＤＢ６３２、ＡＰＮ-ＩＰアドレス変換ＤＢ６３４およびＥＰＳベアラコンテキスト６３６を備える。
制御部６００、送受信部６１０および記憶部６２０は、バス６６０を介して相互に接続されている。制御部６００は、記憶部６３０に記憶されている各種プログラム、データを読み出して実行することにより移動局装置ＭＭＥ６０における種々の処理を実現する。この処理の実行は、制御部５００に内蔵するＣＰＵ（図示せず）等の装置を用いて実行される。
【００６３】
送受信部６１０は、ルータもしくはスイッチに有線接続され、パケットの送受信を行う機能部である。送受信部６１０は、例えば、ネットワークの接続方式として一般的に利用されているＥｔｈｅｒｎｅｔ（登録商標）等により、基地局装置ｅＮＢ１０との送受信を行う。
送受信部６１０は、例えば、図３のｅＮＢ１０やＨｅＮＢ２０からのパススイッチの要求を受信することができる。送受信部６１０は、ｅＮＢ１０やＨｅＮＢ２０へパススイッチの要求応答を送信することができる。また、送受信部６１０は、ｅＮＢ１０やＨｅＮＢ２０からのパススイッチ要求に応じて、ＳＧＷ５０へパススイッチ要求を送信することができる。送受信部６１０は、ＳＧＷ５０からのパススイッチ要求応答を受信することができる。
【００６４】
図１８は、サブスクリプションＤＢ６３２の一例を示した図である。
サブスクリプションＤＢ６３２は、移動通信システム１で管理している移動端末装置ＵＥについて、そのＵＥ識別子（例えば、ＩＭＳＩ（International Mobile Subscriber Identify：加入者識別情報）等から生成される「ＵＥ１」）と、許可ＣＳＧ識別子リスト（例えば「ＣＳＧ１」）と、接続可能ＡＰＮリスト（例えば、「インターネット接続」）とを対応付けて記憶するデータベースである。
【００６５】
ここで、ＣＳＧ（Closed Subscriber Group、閉鎖加入者群）識別子とは、ホーム基地局装置ＨｅＮＢ２０に割り当てられるグループ識別子であり、移動端末装置ＵＥ３０のＨｅＮＢ２０へのアクセス可否は、サブスクリプションＤＢ６３２の許可ＣＳＧ識別子リストに従って判断される。なお、管理の効率性から、複数のＨｅＮＢ２０に同じＣＳＧ識別子を割り当て、アクセス権限の管理を集約することもできる。
また、ＡＰＮとは、ＥＰＳにおいてＰＤＮを識別する識別子である。
そして、ＵＥによるＷＥＢアクセスへの可否は、現在接続中のＨｅＮＢ２０が許可ＣＳＧ識別子リストに含まれているか否かと、さらにＷＥＢアクセスに使用するＡＰＮが接続可能ＡＰＮリストに含まれているかによって決定される。
【００６６】
図１９は、ＡＰＮ−ＩＰアドレス変換ＤＢ６３４の一例を示した図である。
ＡＰＮ−ＩＰアドレス変換ＤＢ６３４は、ＡＰＮ（「例えば、「種別１ インターネット接続」）と、グローバルｅＮＢ識別子（例えば、「ＨｅＮＢ１」）と、ＰＧＷアドレス（例えば、「２００１：１００：２００：３００：：２」）とを対応付けて管理し、ＡＰＮとグローバルｅＮＢ識別子とを用いて、ＰＧＷ（或いはＰＧＷのサブセットであるＬ−ＰＧＷ）のＩＰアドレスを解決するＤＢである。
ＭＭＥ６０は、ＵＥ３０が接続元ＨｅＮＢ２０ａを切り替えた際に、切り替え先ＨｅＮＢ２０ｂに割り当てられているグローバルｅＮＢ識別子とローカルＩＰアクセス用ＡＰＮとを用いて、ＡＰＮ−ＩＰアドレス変換ＤＢ４２４を参照し、Ｌ−ＰＧＷアドレスを取得し、ローカルＰＤＮコネクションの終端ＰＧＷの切り替え要否や、切り替え先Ｌ−ＰＧＷアドレスを取得する。
【００６７】
また、グローバルｅＮＢ識別子とは、移動通信システム１に接続される総ての基地局装置（ＨｅＮＢ２０といったホーム基地局を含む）を一意に識別する識別子である。
【００６８】
図２０は、ＥＰＳベアラコンテキスト６３６の一例を示した図である。
ＥＰＳベアラコンテキスト６３６は、ＵＥ識別子（例えば、「ＵＥ１」）と、接続しているＡＰＮ（例えば、「種別１ インターネット接続」）と、ＨｏＡ（例えば「２００１：１００：２００：３００：：５」）と、ＰＧＷアドレス（例えば、「２００１：１００：２００：３００：：２」）と、ＳＧＷアドレス（例えば、「２００１：１：：２」）と、ｅＮＢアドレス（例えば、「２００１：１００：２００：３００：：２」）と、Ｓ１−ＴＥＩＤ（例えば、ＴＥＩＤ１）と、セルＩＤ（例えば、「ＥＣＧＩ（Ｅ−ＵＴＲＡＮ Ｃｅｌｌ Ｇｌｏｂａｌ Ｉｄｅｎｔｉｆｉｅｒ）１」）とＥＰＳベアラＩＤ（例えば、「ＥＰＳベアラ１」）とを対応付けて記憶し、ＵＥ毎に設定されるＥＰＳベアラのコンテキスト（設定情報）を管理する。
【００６９】
Ｓ１−ＴＥＩＤは、基地局装置１０（あるいはホーム基地局装置ＨｅＮＢ２０内のＬＴＥ基地局部２２０（図６））とＳＧＷ間で確立される論理パスのＩＤであり、Ｓ１−ＴＥＩＤはＥＰＳベアラ毎に割り当てられる。
セルＩＤは、ホーム基地局装置も含めて個々の基地局装置ｅＮＢが形成する無線セルを一意に識別する識別子である。なお、ホーム基地局の場合は、セルＩＤと前述のグローバルｅＮＢ識別子とは同一である。
【００７０】
図２１は、ゲートウェイＧＷ７０の構成を説明する概略説明図である。
ＧＷ７０は、制御部７００と、送受信部７１０と、記憶部７３０と、バス７４０とを備える。
制御部７００、送受信部７１０および記憶部７３０は、バス７４０を介して相互接続される。
制御部７００は、記憶部７３０に記憶されている各種プログラム、データを読み出して実行することによりＧＷ７０における種々の処理を実現する。
【００７１】
送受信部７１０は、ルータもしくはスイッチに有線接続され、ブロードバンドアクセスネットワーク９０と、ＳＧＷ５０と、ＭＭＥ６０とパケットの送受信を行う。例えば、ネットワークの接続方式として一般的に利用されているＥｔｈｅｒｎｅｔ（登録商標）などにより送受信する。
【００７２】
図１に示すネットワークにおいて、インターネット接続に対応しているソースホーム基地局装置ＨｅＮＢ２０と移動局装置ＵＥ３０が通信中である場合であって、ＨｅＮＢ２０が停電などにより停止したときに、ＨｅＮＢ２０からターゲット基地局装置ｅＮＢ１０へＲＲＣ接続再構築を行うための手続について、説明をする。ここで、ＲＲＣ接続再構築とは、ＨｅＮＢ２０においてＵＥ３０と通信中にＨｅＮＢ２０が停止した場合に、ＨｅＮＢ２０とＵＥ３０間で行っていた通信を継続するために、ｅＮＢ１０とＵＥ３０間において、無線リソースをｅＮＢ１０、ＵＥ３０間に再割り当てをすることである。
【００７３】
＜第１の実施形態の再接続手続＞
図２２に、ソースＨｅＮＢからターゲットｅＮＢへＲＲＣ再接続手続を行うためのシーケンス図を示す。
ソースＨｅＮＢとＵＥとの間において、接続状態を確立して通信を開始している状態から、説明を開始する。なお、図２２において、ソースＨｅＮＢは、接続状態を確立しているＨｅＮＢであり、ターゲットｅＮＢは、ＵＥ３０がソースＨｅＮＢとの接続状態を確立できなくなった場合において、接続状態を確立する（ＲＲＣ接続再構築要求を行う）基地局装置のことである。このターゲットｅＮＢとは、それが基地局装置ｅＮＢである場合がある（この場合は、図１のｅＮＢ１０がターゲットｅＮＢである。）。また、ターゲットｅＮＢとは、それがホーム基地局装置ＨｅＮＢである場合がある（この場合は、図２のＨｅＮＢ２０ｂがターゲットｅＮＢである。）。
【００７４】
ソースＨｅＮＢは、ＵＥと下りリンクと上りリンクの双方でデータのやりとりを行う。つまり、ソースＨｅＮＢは、ＵＥへ下りリンクデータを送信し、ＵＥはソースＨｅＮＢへ上りリンクデータを送信する。このとき、ソースＨｅＮＢは、ＳＧＷと上りリンクデータと下りリンクデータをやりとりする。つまり、ＳＧＷはソースＨｅＮＢへ下りリンクデータを送信し、ソースＨｅＮＢはＳＧＷへ上りリンクデータを送信する。
ここで、ＳＧＷがソースＨｅＮＢへ下りリンクデータを送信する際、図３のＧＷ７０およびブロードバンドアクセスネットワーク９０を経由する。また、ソースＨｅＮＢがＳＧＷへ上りリンクデータを送信する際、図３のブロードバンドアクセスネットワーク９０およびＧＷ７０を経由する。
【００７５】
次に、ソースＨｅＮＢは、ターゲットｅＮＢを検出する（Ｓ２２０１）。ここで、検出する方法として、例えば他のｅＮＢまたはＨｅＮＢから送信されるＵＥ宛ての参照信号を受信して、受信電力を計測し、最も受信電力の高いｅＮＢをターゲットｅＮＢとする。このとき、ターゲットｅＮＢから送信されるＵＥ宛ての参照信号に基づいて、そのｅＮＢに関する情報を取得してもよい。または、このとき取得する情報は、ターゲットｅＮＢに関する情報である必要はなく、その属するセルに関する情報であってもよい。または、この情報は、ターゲットｅＮＢから有線回線を経由して、ソースＨｅＮＢへ通知されてもよい。
【００７６】
次に、ターゲットｅＮＢを検出したソースＨｅＮＢは、ＵＥへターゲットｅＮＢに関する情報を通知する（Ｓ２２０２）。ターゲットｅＮＢに関する情報を受け取ったＵＥは、ターゲットｅＮＢに関する情報を接続再構築先ｅＮＢリスト３３２（図１０）に格納する（Ｓ２２０３）。
続いて、ソースＨｅＮＢにおいて、電源停止した場合における処理を説明する（Ｓ２２０４）。
【００７７】
まず、ＵＥは、ソースＨｅＮＢが停止したこと（障害が生じたこと）を検知する（Ｓ２２０５）。ソースＨｅＮＢが停止したこと（障害が生じたこと）を検知する方法は、例えば、ＵＥは、ソースＨｅＮＢにおいて送信されている同期信号が一定時間受信できなくなった場合（ｒａｄｉｏ  ｌｉｎｋ  ｆａｉｌｕｒｅ、無線回線故障）を契機として、ソースＨｅＮＢが停止していることを検知する。
ソースＨｅＮＢの停止（障害が生じたこと）を検知したＵＥは、予めソースＨｅＮＢから通知され、ＵＥの接続再構築先ｅＮＢリスト３３２（図１０）に存在するターゲットｅＮＢへ、ＲＲＣ接続再構築要求を送信する（Ｓ２２０６）。ここで、ＵＥが送信するＲＲＣ  接続再構築要求には、ＵＥを識別する情報やソースＨｅＮＢを識別する情報、セキュリティに関する情報を含めてもよい。また、上記の情報を通知するためのビット数や無線リソースに関する情報を通知してもよい。
【００７８】
ＵＥからのＲＲＣ接続再構築要求を受信したターゲットｅＮＢは、ＵＥとソースＨｅＮＢ間において、接続状態が故障したことを検知する（２２０７）。
続いて、ターゲットｅＮＢは、ＭＭＥ６０へパススイッチの要求を送信する（Ｓ２２０８）。パススイッチの要求には、パススイッチ元となるソースＨｅＮＢとパススイッチ先となるターゲットｅＮＢの情報を含める。
次に、ＭＭＥ６０は、ＳＧＷ５０へパススイッチの要求を送信する（Ｓ２２０９）。
【００７９】
ＭＭＥ６０からパススイッチの要求を受信したＳＧＷ５０は、パススイッチ元となるソースＨｅＮＢからパススイッチ先となるターゲットｅＮＢへ下りリンクデータの送信先を切り替える（Ｓ２２１０）。ここで、ソースＨｅＮＢとＳＧＷ５０間において、通信リソースが設定されている場合には、その通信リソースの解放を行う。
続いて、ソースＨｅＮＢからターゲットｅＮＢへパススイッチを行ったＳＧＷは、ＭＭＥへソースＨｅＮＢからターゲットｅＮＢへパススイッチを完了したことを示すパススイッチ要求応答を送信する（Ｓ２２１１）。
ＭＭＥは、ＳＧＷがソースＨｅＮＢからターゲットｅＮＢへパススイッチを完了したことを示すパススイッチ要求応答をターゲットｅＮＢへ送信する（２２１２）。ここで、ターゲットｅＮＢは、パススイッチ要求応答に含まれるところのＳＧＷ５０の情報に従って、上りリンクデータを送信するＳＧＷ５０を切り替える（パススイッチする）。
【００８０】
上記の手順を経ることにより、ＳＧＷ５０、ターゲットｅＮＢ間において、下りリンクデータと上りリンクデータを伝送する準備が完了する。
一方、ターゲットｅＮＢは、ステップＳ２２０６においてＲＲＣ接続再構築要求を行ったＵＥへ、ＲＲＣ接続再構築の通知を行う（Ｓ２２１３）。ここで、ターゲットｅＮＢは、ステップＳ２２０６におけるＲＲＣ接続再構築要求に含まれたＵＥに関する情報を利用して、ＲＲＣ接続再構築の通知先を決定する。ＲＲＣ接続設定には、下りリンク信号の受信に必要なリソースに関する情報や上りリンク信号の送信に必要なリソースに関する情報が含まれる。
ＲＲＣ接続再構築の通知を受け取ったＵＥは、ターゲットｅＮＢからのリソース割り当てに従って、下りリンクデータの受信や上りリンクデータの送信の準備を行う。続いて、接続のリソース割り当てを正しく受信したＵＥはターゲットｅＮＢへＲＲＣ接続再構築完了の通知を送信する（Ｓ２２１４）。
上記の手順を経ることにより、ターゲットｅＮＢ、ＵＥ間において、下りリンクデータと上りリンクデータを伝送する準備が完了する。
【００８１】
上記により、停電（障害）などが発生し、ソースＨｅＮＢが突然停止した場合においても、ソースＨｅＮＢを介することなく、ターゲットｅＮＢを選択し、ＲＲＣ接続再構築手続を行い、通信を継続することが可能となる。また、本実施形態では、移動局装置ＵＥによるＱｏＳ（通信のサービス品質）の送信のようなメジャメントレポート（measurement report、測定報告）の送信を必要としない。
つまり、ソースＨｅＮＢが突然停止した場合においても、メジャメントレポートの報告結果が消失することにより利用できなくなるというリスクがない。また、メジャメントレポートを送信する必要がないことから、メジャメントレポート送信に必要であった通信リソースを他の用途に用いることができ、通信リソースを有効活用することが可能となる。
また、予めＵＥにＲＲＣ接続再構築先のｅＮＢ（ターゲットｅＮＢ）を通知しておくことにより、ＵＥはＲＲＣ接続再構築先の対象となるｅＮＢを選択するというプロセスを省略することができる。
【００８２】
＜第２の実施形態の再接続手続＞
第２の実施形態では、基地局装置ｅＮＢ１０から定期的に送信される参照信号を利用する。このｅＮＢ１０によって送信される参照信号を利用することにより、ターゲットｅＮＢ１０を決定することができる。この参照信号には、ｅＮＢ１０の識別子が含まれている。ここで、ターゲットｅＮＢの決定方法は様々な方法が考えられるが、例えば、ＵＥ３０において参照信号の受信電力を計測し、最も受信電力が大きい参照信号の送信先ｅＮＢ１０をターゲットｅＮＢとして決定することができる。
また、ＵＥは、近隣のＨｅＮＢ（図２のＨｅＮＢ２０ｂ）およびｅＮＢ１０ａから送信された参照信号の受信電力を計測することができる。ＵＥ３０による受信電力の計測には、上述したように、ＨｅＮＢ２０ｂおよびｅＮＢ１０ａから定期的に送信される参照信号を用いることができ、それぞれの参照信号の受信電力を計測し、最も受信電力が大きい参照信号を送信したｅＮＢ１０ａまたは、ＨｅＮＢ２０ｂをターゲットｅＮＢ（または、ターゲットＨｅＮＢ）として決定することができる。
【００８３】
図２３に、本実施形態におけるＨｅＮＢ２０からｅＮＢ１０へＲＲＣ接続再構築を行うための手続を示す。
図２３では、ソースＨｅＮＢとＵＥとの間において、接続状態を確立して通信を開始している状態から開始する。なお、図２３において、ソースＨｅＮＢは、接続状態を確立しているホーム基地局装置であり、ターゲットｅＮＢは、ＵＥがソースＨｅＮＢとの接続状態を確立できなくなった場合において、接続状態を確立するｅＮＢである。ここで、図２に示すように、ターゲットｅＮＢは、基地局装置ｅＮＢである必要はなく、ホーム基地局装置ＨｅＮＢ２０ｂであってもよい。
【００８４】
ソースＨｅＮＢは、ＵＥと下りリンクと上りリンクデータのやりとりを行う。つまり、ソースＨｅＮＢはＵＥへ下りリンク信号を送信し、ＵＥはソースＨｅＮＢへ上りリンクデータを送信する。このとき、ソースＨｅＮＢは、ＳＧＷと上りリンクデータと下りリンクデータをやりとりする。つまり、ＳＧＷはソースＨｅＮＢへ下りリンクデータを送信し、ソースＨｅＮＢはＳＧＷへ上りリンクデータを送信する。
【００８５】
まず、ターゲットｅＮＢは、参照信号をＵＥへ送信する（２３０１）。ここで、ターゲットｅＮＢは自身を示すターゲットｅＮＢを示す識別子を参照信号に含める。
ｅＮＢから参照信号を受信したＵＥは、ターゲットｅＮＢの決定を行う（２２３０２）。ここで、ＵＥはｅＮＢからの参照信号を利用してターゲットｅＮＢを決定する。受信するｅＮＢからの参照信号は複数であってよく、複数のターゲットｅＮＢからの参照信号（それぞれの参照信号には、送信したｅＮＢの情報（識別子）が含まれる。）から選択することができる。
複数のｅＮＢを示す参照信号からｅＮＢを示す方法は、複数存在するが、例えば、参照信号の受信電力値を用いることができる。また、決定したｅＮＢ（ターゲットｅＮＢ）の情報は、電源停止などが発生した場合に接続先を切り替えるためにＵＥ３０の接続再構築先リスト３３２（図１０）において、ターゲットｅＮＢの情報として格納しておく。
【００８６】
続いて、ソースＨｅＮＢにおいて、電源停止した場合（Ｓ２３０３）における処理を説明する。
まず、ＵＥは、ソースＨｅＮＢが停止したこと（障害）を検知する（Ｓ２３０４）。ソースＨｅＮＢが停止したこと（障害）を検知する方法は種々存在するが、例えば、ソースＨｅＮＢにおいて送信されている同期信号が一定時間受信できなくなった場合を契機として、ソースＨｅＮＢが停止していること（障害）を検知する。
【００８７】
ソースＨｅＮＢ２０の停止（障害）を検知したＵＥは、ターゲットｅＮＢ１０へＲＲＣ接続再構築要求を送信する（Ｓ２３０５）。ここで、ＲＲＣ接続再構築要求を送信する相手先のｅＮＢの選択方法は、例えば、ｅＮＢから送信された参照信号における受信電力値などを比較することで、ｅＮＢを選択する。また、ＵＥが送信するＲＲＣ接続再構築要求には、ＵＥ３０を識別する情報やソースＨｅＮＢを識別する情報、セキュリティに関する情報を含めることができる。また、上記の情報を通知するためのビット数や無線リソースに関する情報を通知することができる。
ＵＥ３０からの再接続要求を受信したターゲットｅＮＢは、ＵＥとソースＨｅＮＢとの間において、接続状態が停止したこと（無線回線故障）を検知する（Ｓ２３０６）。
続いて、ターゲットｅＮＢは、ＭＭＥへパススイッチの要求を送信する（Ｓ２３０７）。パススイッチの要求には、パススイッチ元となるソースＨｅＮＢとパススイッチ先となるターゲットｅＮＢの情報を含める。
【００８８】
次に、ＭＭＥは、ＳＧＷへパススイッチの要求を送信する（Ｓ２３０８）。パススイッチ要求には、パススイッチ元となるソースＨｅＮＢとパススイッチ先となるターゲットｅＮＢの情報を含める。
ＭＭＥからパススイッチの要求を受信したＳＧＷは、パススイッチ元となるソースＨｅＮＢ２０からパススイッチ先となるターゲットｅＮＢへ下りリンクデータの送信先として切り替える（Ｓ２３０９）。ここで、ソースＨｅＮＢとＳＧＷとの間において、通信リソースが設定されている場合には、その通信リソースの解放を行う。続いて、ソースＨｅＮＢからターゲットｅＮＢへパススイッチを行ったＳＧＷは、ＭＭＥへソースＨｅＮＢからターゲットｅＮＢへパススイッチを完了したことを示すパススイッチ要求応答を送信する（Ｓ２３１０）。
【００８９】
ＭＭＥは、ＳＧＷがソースＨｅＮＢからターゲットｅＮＢへパススイッチを完了したことを示すパススイッチ要求応答をターゲットｅＮＢへ送信する（Ｓ２３１１）。ここで、ターゲットｅＮＢにおいて、上りリンクデータを送信するＳＧＷが異なっている場合、ターゲットｅＮＢは、上りリンクデータを送信するＳＧＷ５０を切り替える（このことを「パススイッチする」と言う。）。
上記の手順を経ることにより、ＳＧＷ、ターゲットｅＮＢ間において、下りリンクデータと上りリンクデータとを伝送する準備が完了する。
【００９０】
一方、ターゲットｅＮＢは、ステップＳ２３０５においてＲＲＣ接続再構築要求を行ったＵＥへＲＲＣ接続再構築の通知を行う（Ｓ２３１２）。ここで、ターゲットｅＮＢは、ステップＳ２３０５におけるＲＲＣ接続再構築要求に含まれたＵＥに関する情報を利用して、ＲＲＣ接続再構築の通知先を決定する。ＲＲＣ接続設定には、下りリンク信号の受信に必要なリソースに関する情報や上りリンク信号の送信に必要なリソースに関する情報が含まれる。
ＲＲＣ接続再構築の通知を受け取ったＵＥは、ターゲットｅＮＢからのリソース割り当てに従って、下りリンクデータの受信や上りリンクデータの送信の準備を行う。続いて、接続のリソース割り当てを正しく受信したＵＥは、ターゲットｅＮＢへＲＲＣ接続再構築完了の通知を送信する（Ｓ２３１３）。
【００９１】
上記の手順を経ることにより、ターゲットｅＮＢとＵＥとの間において、下りリンクデータと上りリンクデータを伝送する準備が完了する。
上記により、停電（その他の障害）などが発生し、ソースＨｅＮＢが突然停止した場合においても、ソースＨｅＮＢを介することなく、ターゲットｅＮＢを選択し、ＲＲＣ接続再構築手続を行い、通信を継続することが可能となる。
また、本実施形態では、ハンドオーバ手続の判断として従来の技術において利用されているところのｅＮＢから送信される参照信号を利用したＲＲＣ接続再構築を行うことができ、システムとして大きな変更を行う必要がないという効果を奏する。
【００９２】
＜第３の実施形態の再接続手続＞
図２４に、本実施形態におけるホーム基地局装置ＨｅＮＢから基地局装置ｅＮＢへＲＲＣ接続再構築を行うための手続を示す。
本実施形態では、ソースＨｅＮＢとＵＥ間において、接続状態を確立して通信を開始している状態から開始する。なお、図２４において、ソースＨｅＮＢは、接続状態を確立している基地局装置であり、ターゲットｅＮＢは、ＵＥ３０がソースＨｅＮＢとの接続状態を確立できなくなった場合において接続状態を確立する基地局装置のことである。ここで、ターゲットｅＮＢは、ｅＮＢである必要はなく、ＨｅＮＢでもよい。
ソースＨｅＮＢは、ＵＥと下りリンクと上りリンクデータのやりとりを行う。つまり、ソースＨｅＮＢはＵＥへ下りリンク信号を送信し、ＵＥはソースＨｅＮＢへ上りリンクデータを送信する。このとき、ソースＨｅＮＢは、ＳＧＷと上りリンクデータと下りリンクデータをやりとりする。つまり、ＳＧＷは、ソースＨｅＮＢへ下りリンクデータを送信し、ソースＨｅＮＢは、ＳＧＷへ上りリンクデータを送信する。
【００９３】
次に、ＵＥは、ソースＨｅＮＢのメジャメントレポート、および接続再構築先の候補となるターゲットｅＮＢのメジャメントレポートをソースＨｅＮＢへ送信する（２４０１）。ここで、ＵＥは、ソースＨｅＮＢについてのメジャメントレポートは、ソースＨｅＮＢから送信された参照信号を測定して作成する。また、ＵＥは、ターゲットｅＮＢについてのメジャメントレポートは、ターゲットｅＮＢから送信された参照信号を測定して作成する。ここで、メジャメントレポートとしては、例えば、参照信号の受信電力値を用いて作成することができる。
また、ＵＥが送信するソースＨｅＮＢについてのメジャメントレポートおよびターゲットｅＮＢについてのメジャメントレポートは、別々のタイミングで送信してもよいし、同じタイミングで送信してもよい。
次に、ソースＨｅＮＢは、ＵＥにおけるターゲットｅＮＢの選択とＵＥリストの生成とを行う（２４０２）。ここで、ターゲットｅＮＢの選択には、例えば、ＵＥが送信した測定報告を比較し、最もＲＲＣ接続再構築先として適したｅＮＢを選択する。また、最もＲＲＣ接続再構築先として適したｅＮＢを選択するために、例えば、測定報告における受信電力値を比較して行うことができる。
【００９４】
図２５にＵＥリストの例を示す。
図２５のように、ＵＥ３０におけるターゲットｅＮＢの選択を行った後、ＲＲＣ接続再構築先となっているＵＥ３０をＵＥリストとして登録する。図２５のように、複数のＵＥが存在し、ＲＲＣ接続再構築先として同じｅＮＢにＲＲＣ接続再構築するＵＥを、そのＵＥリストに含めてもよい。図２５では、ＵＥ１、ＵＥ２、ＵＥ３、等が登録されている。
図２４に戻って、ソースＨｅＮＢは、ターゲットｅＮＢに対して、ＵＥリストを送信する（２４０３）。続いて、ソースＨｅＮＢは、ターゲットｅＮＢへ同期信号（「アライブ信号」と言うことがある。）を送信する（２４０４）。本実施形態では、３回の同期信号（アライブ信号）の送信を行うが、３回である必要はない。このアライブ信号は同期信号であり、ソースＨｅＮＢが停止しているかどうかを即座に確認することを目的とする信号である。したがって、アライブ信号は、この目的に則した信号であれば同期信号以外の他の信号でもよい。
【００９５】
図２６にアライブ信号のフォーマットを示す。図２６では、アライブ信号にアライブＨｅＮＢ（ターゲットＨｅＮＢのことを言う。）に関する情報として、セルＩＤが含まれている。ここで、アライブ信号にセルＩＤが含まれる必要はなく、ＨｅＮＢに関する情報であればよい。
ここで、アライブ信号を送信するのではなく、予め電源停止に備えて、予備バッテリを確保し、主電源の次に停止の予備電源も停止の直前の状態においてデッス信号（ｄｅａｔｈ  ｓｉｇｎａｌ）を送信し、ＨｅＮＢの電源停止状態をターゲットｅＮＢへ通知してもよい。
【００９６】
続いて、ソースＨｅＮＢにおいて、電源停止した（障害の発生した）場合における処理を説明する（Ｓ２４０５）。
まず、ターゲットｅＮＢは、ソースＨｅＮＢが停止したこと（障害）を検知する（Ｓ２４０６）。ソースＨｅＮＢが停止したこと（障害）を検知する方法は、例えば、ソースＨｅＮＢにおいて送信されているアライブ信号が一定時間受信できなくなった場合を契機として、ソースＨｅＮＢが停止していることを検知する。または、ターゲットｅＮＢは、デッス信号の受信に基づいて、ソースＨｅＮＢが停止していることを検知する。
ソースＨｅＮＢの停止（障害）を検知したターゲットｅＮＢは、ＭＭＥ６０へパススイッチの要求を送信する（Ｓ２４０７）。パススイッチの要求には、パススイッチ元となるソースＨｅＮＢとパススイッチ先となるターゲットｅＮＢの情報を含める。
次に、ＭＭＥは、ＳＧＷへパススイッチの要求を送信する（Ｓ２４０８）。パススイッチ要求には、パススイッチ元となるソースＨｅＮＢとパススイッチ先となるターゲットｅＮＢの情報を含める。
【００９７】
ＭＭＥからパススイッチの要求を受信したＳＧＷは、パススイッチ元となるソースＨｅＮＢからパススイッチ先となるターゲットｅＮＢへ、下りリンクデータの送信先を切り替える。ここで、ソースＨｅＮＢとＳＧＷ５０間において、通信リソースが設定されている場合には、その通信リソースの解放を行う。続いて、ソースＨｅＮＢからターゲットｅＮＢへパススイッチを行ったＳＧＷは、ＭＭＥへソースＨｅＮＢからターゲットｅＮＢへパススイッチを完了したことを示すパススイッチ要求応答を送信する（Ｓ２４０９）。
【００９８】
ＭＭＥは、ＳＧＷがソースＨｅＮＢからターゲットｅＮＢへパススイッチを完了したことを示すパススイッチ要求応答をターゲットｅＮＢへ送信する（Ｓ２４１０）。ここで、ターゲットｅＮＢは、上りリンクデータを送信すべきＳＧＷと異なっている場合、ターゲットｅＮＢは、上りリンクデータを送信するＳＧＷ５０を切り替える。
上記の手順を経ることにより、ＳＧＷ、ターゲットｅＮＢ間において、下りリンクデータと上りリンクデータを伝送する準備が完了する。
【００９９】
一方、ターゲットｅＮＢは、ＵＥへＲＲＣ接続再構築要求を行う（Ｓ２４１１）。ここで、ターゲットｅＮＢは、ステップＳ２４０６におけるＵＥリストに含まれたＵＥに関する情報を利用して、ＲＲＣ接続再構築要求を行う。ＲＲＣ接続再構築には、下りリンク信号の受信に必要なリソースに関する情報や上りリンク信号の送信に必要なリソースに関する情報が含まれる。
ＲＲＣ接続再構築要求を受け取ったＵＥは、ターゲットｅＮＢからのリソース割り当てに従って、下りリンクデータの受信や上りリンクデータの送信の準備を行う。続いて、接続のリソース割り当てを正しく受信したＵＥは、ターゲットｅＮＢへＲＲＣ接続再構築完了の通知を送信する（Ｓ２４１２）。
上記の手順を経ることにより、ターゲットｅＮＢ、ＵＥ３０間において、下りリンクデータと上りリンクデータを伝送する準備が完了する。
【０１００】
上記により、停電などが発生し、ソースＨｅＮＢが突然停止した場合においても、ソースＨｅＮＢを介することなく、ターゲットｅＮＢを選択し、ＲＲＣ接続再構築手続を行い、通信を継続することが可能となる。また、本実施形態では、ソースＨｅＮＢの停止の検知をターゲットｅＮＢにおいて行うことにより、ＵＥにおいて、ソースＨｅＮＢの停止の検知に時間を要した場合において、ターゲットｅＮＢによる、ＲＲＣ接続再構築要求を送信することにより、ＲＲＣ接続再構築をスムーズに行うことが可能となる。また、本実施形態では、ターゲットｅＮＢからの明示のＲＲＣ接続再構築要求があるので、ハンドオーバ処理がより確実に行われる。
【０１０１】
本発明に関わる上記実施例においては、ソース基地局装置が狭小なセルのホーム基地局装置であり、ターゲット基地局装置が広範囲のセルの基地局装置であったが、本発明の実施形態はこれに限定されない。ソース基地局装置が広範囲のセルのものであってもよいし、ターゲット基地局装置が狭小なセルのホーム基地局装置であってもよい。
【０１０２】
また、本発明の実施形態はＬＴＥにおいて実施できるのみならず、その先の世代のＬＴＥ‐Ａｄｖａｎｃｅｄにおいても実施することができる。
【０１０３】
本発明に関わる上記実施形態において説明をした数々の機能は、内蔵のマイクロコンピュータでの中央処理装置ＣＰＵ等を制御するコンピュータ・プログラムの実行によって代替することができる。そして、これら装置で取り扱われる情報は、その処理時に一時的に記憶装置ＲＡＭに蓄積され、また、各種の記録装置ＲＯＭや磁気記憶装置ＨＤＤに格納され、必要に応じてＣＰＵによって読み出し、修正・書き込みが行われる。プログラムを格納する記録媒体としては、半導体媒体（例えば、ROM、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、格納したプログラムを実行することにより、上述した実施形態の機能が実現されるだけでなく、そのプログラムの指示に基づき、オペレーティングシステムあるいは他のアプリケーションプログラム等と共同して処理することにより、本発明の上記実施形態の機能を実現することもできる。
また、本発明に関わる上記実施形態において説明をした数々の機能を代替実行することのできるコンピュータ・プログラムを可搬型の記録媒体に格納して、独立の商品として市場で流通させたり、または、インターネット等のネットワークを介して接続されたサーバコンピュータに転送したりして市場に流通させることができる。この場合、上記記録媒体とか、サーバコンピュータの記憶装置とかも、本発明の特許請求の範囲の技術的範囲に抵触する。
また、上述した実施形態における端末および基地局の一部、または全部を典型的には半導体集積回路であるＬＳＩとして実現してもよい。端末および基地局の各機能ブロックは個別に半導体チップ化してもよいし、一部、または全部を集積してチップ化してもよい。
また、集積回路化の手法はＬＳＩに限らず専用回路、または汎用プロセッサで実現してもよい。
以上、この発明の実施形態を、図面を参照して詳述してきたが、具体的な構成は本実施形態に限られるものではなく、この発明の要旨を逸脱しない範囲の設計等も特許請求の範囲に含まれる。
【産業上の利用可能性】
【０１０４】
この発明は、通信方法、移動局装置、基地局装置の分野において利用することができる。
【符号の説明】
【０１０５】
１・・・無線通信システム
１‐１・・・セル（無線アクセスシステム）
１０・・・基地局装置ｅＮＢ
２０・・・ホーム基地局装置ＨｅＮＢ
２０‐１・・・フェムトセル（ホームネットワーク）
３０・・・移動端末装置ＵＥ
４０・・・パケットデータゲートウェイＰＧＷ
５０・・・サービングゲートウェイＳＧＷ
６０・・・移動管理装置ＭＭＥ
７０・・・ゲートウェイＧＷ
８０・・・コアネットワーク８０
９０・・・ブロードバンドアクセスネットワーク
９５・・・ＰＤＮ（インターネット）
【図１】
2013021598.tif 000003
【図２】
2013021598.tif 000004
【図３】
2013021598.tif 000005
【図４】
2013021598.tif 000006
【図５】
2013021598.tif 000007
【図６】
2013021598.tif 000008
【図７】
2013021598.tif 000009
【図８】
2013021598.tif 000010
【図９】
2013021598.tif 000011
【図１０】
2013021598.tif 000012
【図１１】
2013021598.tif 000013
【図１２】
2013021598.tif 000014
【図１３】
2013021598.tif 000015
【図１４】
2013021598.tif 000016
【図１５】
2013021598.tif 000017
【図１６】
2013021598.tif 000018
【図１７】
2013021598.tif 000019
【図１８】
2013021598.tif 000020
【図１９】
2013021598.tif 000021
【図２０】
2013021598.tif 000022
【図２１】
2013021598.tif 000023
【図２２】
2013021598.tif 000024
【図２３】
2013021598.tif 000025
【図２４】
2013021598.tif 000026
【図２５】
2013021598.tif 000027
【図２６】
2013021598.tif 000028